(57)【要約】【課題】見た目の明るさを維持しつつ消費電力を削減した場合でもチラツキを低減可能な照明装置及びその駆動方法を提供する。【解決手段】照明装置１００は、発光素子を有する発光部１と、発光部１に電力を供給して発光部１を駆動する駆動部２と、物理的な明るさを担う波である高周波の基本パルス信号Ｐ１を生成して駆動部２に供給する基本パルス信号供給部３と、心理的な明るさを担う波である低周波のフェイク信号Ｐ２を生成して駆動部２に供給するフェイク信号供給部４とを備える。【選択図】図１
2013243037.tif 000002
【特許請求の範囲】
【請求項１】
発光素子を有する発光部と、
前記発光部に電力を供給して前記発光部を駆動する駆動部と、
物理的な明るさを担う波である高周波の第１パルス信号を生成して前記駆動部に供給する第１パルス信号供給部と、
心理的な明るさを担う波である低周波のフェイク信号を生成して前記駆動部に供給するフェイク信号供給部と
を備えることを特徴とする照明装置。
【請求項２】
前記第１パルス信号の周波数は５００Ｈｚ以上であることを特徴とする請求項１に記載の照明装置。
【請求項３】
前記第２パルス信号の周波数は８０Ｈｚ以上であることを特徴とする請求項１に記載の照明装置。
【請求項４】
前記第２パルス信号は、前記第１パルス信号のデューティ比よりも小さなデューティ比を有し、且つ前記第１パルス信号のピーク出力値の２倍以上のピーク出力値を有するパルス信号で構成されることを特徴とする請求項１に記載の照明装置。
【請求項５】
前記フェイク信号は、前記第１パルス信号がローレベルである期間においてハイレベルとなることを特徴とする請求項１に記載の照明装置。
【請求項６】
前記第１パルス信号の周波数は４００Ｈｚ、パルス幅は１．２５ｍｓ、ピーク出力値は３５０ｍＡであることを特徴とする請求項１に記載の照明装置。
【請求項７】
前記第２パルス信号の周波数は８０Ｈｚ、パルス幅は１．２５ｍｓ、ピーク出力値は７００ｍＡであることを特徴とする請求項１に記載の照明装置。
【請求項８】
更に、力率を改善する力率改善回路を備えることを特徴とする請求項１に記載の照明装置。
【請求項９】
更に、他の照明装置の電源と同期をとる同期回路を備えることを特徴とする請求項１に記載の照明装置。
【請求項１０】
複数本の直管ＬＥＤを用いる場合、それぞれの直管ＬＥＤで同期をとることを特徴とする請求項９に記載の照明装置。
【請求項１１】
発光素子を有する発光部を駆動する駆動部が前記発光部に電力を供給して前記発光部を駆動する駆動ステップと、
物理的な明るさを担う波である高周波の第１パルス信号を生成して前記駆動部に供給する第１パルス信号供給ステップと、
心理的な明るさを担う波である低周波の第２パルス信号を生成して前記駆動部に供給する第２パルス信号供給ステップと
を有することを特徴とする照明装置の駆動方法。
【請求項１２】
前記第１パルス信号の周波数は５００Ｈｚ以上であることを特徴とする請求項１１に記載の照明装置の駆動方法。
【請求項１３】
前記第２パルス信号の周波数は８０Ｈｚ以上であることを特徴とする請求項１１に記載の照明装置の駆動方法。
【請求項１４】
前記第２パルス信号は、前記第１パルス信号のデューティ比よりも小さなデューティ比を有し、且つ前記第１パルス信号のピーク出力値の２倍以上のピーク出力値を有するパルス信号で構成されることを特徴とする請求項１１に記載の照明装置の駆動方法。
【請求項１５】
前記第２パルス信号は、前記第１パルス信号がローレベルである期間においてハイレベルとなることを特徴とする請求項１１に記載の照明装置の駆動方法。
【請求項１６】
前記第１パルス信号の周波数は４００Ｈｚ、パルス幅は１．２５ｍｓ、ピーク出力値は３５０ｍＡであることを特徴とする請求項１１に記載の照明装置の駆動方法。
【請求項１７】
前記第２パルス信号の周波数は８０Ｈｚ、パルス幅は１．２５ｍｓ、ピーク出力値は７００ｍＡであることを特徴とする請求項１１に記載の照明装置の駆動方法。
【請求項１８】
更に、力率を改善する力率改善ステップを有することを特徴とする請求項１１に記載の照明装置の駆動方法。
【請求項１９】
更に、他の照明装置の電源と同期をとる同期ステップを有することを特徴とする請求項１１に記載の照明装置の駆動方法。
【請求項２０】
複数本の直管ＬＥＤを用いる場合、それぞれの直管ＬＥＤで同期をとることを特徴とする請求項１９に記載の照明装置の駆動方法。
【発明の詳細な説明】
【技術分野】
【０００１】
本発明は、ＬＥＤなどの発光素子を用いた照明装置及びその駆動方法に関する。
【背景技術】
【０００２】
文字や記号などの情報をドットマトリクスによって画像表示する手段として、例えば、発光ダイオード（ＬＥＤ：Light Emitting Diode）をマトリクス状に配置したマトリクス表示装置が知られている（例えば、特許文献１参照）。このようなマトリクス表示装置は、電車内の電光文字表示装置などに広く用いられている。すなわち、複数のＬＥＤがマトリクス状に配置された表示領域を備え、この表示領域に文字や記号などを表示させることにより、ニュースなどの情報を伝えることができる。
【０００３】
また、ブロッカ・ザルツァー（Ｂｒｏｃａ−Ｓｕｌｚｅｒ）効果を利用した照明装置が知られている（例えば、特許文献２参照）。この照明装置によれば、照明用発光ダイオードを周期的にパルス状に発光させることにより、少ない発光量で大きな心理的輝度を得ることができる。そのため、エネルギー消費の小さい照明装置を実現することが可能である。
【０００４】
また、点滅する光点の識別の際，臨界融像頻度は，網膜照度の対数に比例するというフェリーポーター（Ferry-Porter）の法則も知られている。
【先行技術文献】
【特許文献】
【０００５】
【特許文献１】特開平９−３２５７２９号公報
【特許文献２】特開２００９−１４６８９３号公報
【発明の概要】
【発明が解決しようとする課題】
【０００６】
しかしながら、従来技術では、見た目の明るさを維持しつつ消費電力を削減しようとすると、チラツキ（フリッカ）を感じるという課題があった。看板照明などの照明装置は、電光文字表示装置に比べて長時間利用されるため、チラツキを低減することが重要である。
【０００７】
本発明の目的は、見た目の明るさを維持しつつ、消費電力を削減した場合でもチラツキを低減可能な照明装置及びその駆動方法を提供することにある。
【課題を解決するための手段】
【０００８】
本発明の一態様によれば、発光素子を有する発光部と、前記発光部に電力を供給して前記発光部を駆動する駆動部と、物理的な明るさを担う波である高周波の第１パルス信号を生成して前記駆動部に供給する第１パルス信号供給部と、心理的な明るさを担う波である低周波の第２パルス信号を生成して前記駆動部に供給する第２パルス信号供給部とを備える照明装置が提供される。
【０００９】
また、本発明の他の態様によれば、発光素子を有する発光部を駆動する駆動部が前記発光部に電力を供給して前記発光部を駆動する駆動ステップと、物理的な明るさを担う波である高周波の第１パルス信号を生成して前記駆動部に供給する第１パルス信号供給ステップと、心理的な明るさを担う波である低周波の第２パルス信号を生成して前記駆動部に供給する第２パルス信号供給ステップとを有する照明装置の駆動方法が提供される。
【発明の効果】
【００１０】
本発明によれば、見た目の明るさを維持しつつ、消費電力を削減した場合でもチラツキを低減可能な照明装置及びその駆動方法を提供することができる。
【図面の簡単な説明】
【００１１】
【図１】第１の実施の形態に係る照明装置の模式的ブロック構成図。
【図２】第１の実施の形態に係る照明装置に適用される基本パルス信号とフェイク信号の説明図。
【図３】ブロッカ・ザルツァー効果の実験結果を示すグラフ。
【図４】比較例を説明するための図であって、（ａ）従来の典型的な波形図、（ｂ）マトリクス表示装置の低消費技術を適用した場合の波形図。
【図５】比較例を説明するための図であって、基本パルス信号とフェイク信号の周波数を上げた場合の波形図。
【図６】比較例を説明するための図であって、（ａ）アンケート調査結果を示す図、（ｂ）周波数と見た目の明るさ、チラツキとの関係を示す図。
【図７】第１の実施の形態に係る照明装置に適用される基本パルス信号とフェイク信号の波形図。
【図８】従来技術と第１の実施の形態とを比較する実験結果を示す図。
【図９】第１の実施の形態に係る照明装置の模式的回路ブロック構成図。
【図１０】第１の実施の形態に係る照明装置に適用されるパルス信号の波形図であって、（ａ）第１のＰＷＭ発生器の出力波形図、（ｂ）第２のＰＷＭ発生器の出力波形図。
【図１１】第１の実施の形態に係る照明装置に適用されるパルス信号の波形例の詳細説明であって、４００Ｈｚのパルス信号が５ｋＨｚ以上の複数の波形の合成波で構成され、高速にスイッチングされている様子を示す図。
【図１２】第１の実施の形態に係る照明装置の応用例を示す模式的鳥瞰構造図。
【図１３】第２の実施の形態に係る照明装置の模式的回路ブロック構成図。
【図１４】第３の実施の形態に係る照明装置の模式的回路ブロック構成図。
【図１５】第４の実施の形態に係る照明装置の模式的回路ブロック構成図。
【発明を実施するための形態】
【００１２】
次に、図面を参照して、本発明の実施の形態を説明する。以下の図面の記載において、同一又は類似の部分には同一又は類似の符号を付している。ただし、図面は模式的なものであり、各構成部品の厚みと平面寸法との関係、各層の厚みの比率等は現実のものとは異なることに留意すべきである。したがって、具体的な厚みや寸法は以下の説明を参酌して判断すべきものである。又、図面相互間においても互いの寸法の関係や比率が異なる部分が含まれていることはもちろんである。
【００１３】
又、以下に示す実施の形態は、この発明の技術的思想を具体化するための装置や方法を例示するものであって、この発明の実施の形態は、各構成部品の材質、形状、構造、配置等を下記のものに特定するものでない。この発明の実施の形態は、特許請求の範囲において、種々の変更を加えることができる。
【００１４】
［第１の実施の形態］
以下、図１〜図１２を参照して、第１の実施の形態について説明する。
【００１５】
（照明装置）
第１の実施の形態に係る照明装置１００は、図１に示すように、ＬＥＤなどの発光素子を有する発光部１と、発光部１に電力を供給して発光部１を駆動する駆動部２と、物理的な明るさを担う波である高周波の基本パルス信号Ｐ１を生成して駆動部２に供給する基本パルス信号供給部３と、心理的な明るさを担う波である低周波のフェイク信号Ｐ２を生成して駆動部２に供給するフェイク信号供給部４とを備える。
【００１６】
（基本パルス信号、フェイク信号）
第１の実施の形態に係る照明装置１００に適用される基本パルス信号Ｐ１とフェイク信号Ｐ２は、図２に示すように表される。マトリクス表示装置の低消費技術では、図２に示すように、基本パルス信号Ｐ１とは別に、ブロッカ・ザルツァー効果を発揮させるためのフェイク信号Ｐ２を用いる。フェイク信号Ｐ２とは、ブロッカ・ザルツァー効果を発揮させるための擬似信号をいう。
【００１７】
例えば、基本パルス信号Ｐ１の周波数は５００Ｈｚ以上である。
【００１８】
また、フェイク信号Ｐ２の周波数は８０Ｈｚ以上である。
【００１９】
また、フェイク信号Ｐ２は、基本パルス信号Ｐ１のデューティ比よりも小さなデューティ比を有し、且つ基本パルス信号Ｐ１のピーク出力値の２倍以上のピーク出力値を有するパルス信号で構成されている。
【００２０】
また、フェイク信号Ｐ２は、基本パルス信号Ｐ１がローレベルである期間においてハイレベルとなる。
【００２１】
（ブロッカ・ザルツァー効果）
ブロッカ・ザルツァー効果とは、明るさの知覚に関する人間の生理的視覚特性であり、刺激光の持続時間によってその明るさ知覚が変わる現象をいう。例えば、図３に示すように、増分光の輝度を一定に保ちながらその呈示時間を増加させていくと、見た目の明るさ（比較刺激強度）は呈示時間と共に増加し、所定時間経過して極大値を迎えた後に下降し、やがて一定水準となる場合がある。ここで、呈示時間とは、オン・オフの点滅時間に相当する時間である。すなわち、刺激の呈示時間が極短い場合、その見た目の明るさは、物理的な輝度の等しい定常光の明るさを下回るが、刺激の呈示時間が中程度（５０〜１００ｍｓ程度）の場合、その見た目の明るさは、物理的な輝度の等しい定常光の明るさを上回るという現象が生じる。このような現象を発見者に因んでブロッカ・ザルツァー現象と呼ぶ。
【００２２】
ブロッカ・ザルツァー効果の実験結果は、図３に示すように表される。ブロッカ・ザルツァー効果によれば、図３に示すように、周波数２０Ｈｚ程度で刺激光を呈示した場合、特に高い視覚効果が得られる。
【００２３】
一方、発光素子としてＬＥＤを用いた場合、周波数２０Ｈｚ程度でＬＥＤを点灯させるとチラツキが生じ、見る者に不快感を与えてしまう。このため、第１の実施の形態に係る照明装置１００においては、見た目の明るさを維持しつつ消費電力を削減した場合でもチラツキを低減することができるように、図９に示す回路構成を採用している。
【００２４】
（比較例）
比較例を説明するための図であって、従来の典型的な点灯波形は、図４（ａ）に示すように表され、マトリクス表示装置の低消費技術を適用した場合の波形は、図４（ｂ）に示すように表される。
【００２５】
図４（ａ）では、一定の電流値（３５０ｍＡ）で点灯させた場合の定常光を例示している。図中に斜線で示される領域の面積（電流値×点灯時間）はトータルの消費電力に相当する。
【００２６】
一方、マトリクス表示装置の低消費技術を適用した場合の点灯波形は、図４（ｂ）に示すように、基本パルス信号Ｐ１とは別に、ブロッカ・ザルツァー効果を発揮させるためのフェイク信号Ｐ２を用いている。図４（ｂ）の例では、基本パルス信号Ｐ１の周波数は２００Ｈｚ、パルス幅は２．５ｍｓ、ピーク出力値は３５０ｍＡとしている。また、フェイク信号Ｐ２のパルス幅は０．５ｍｓ、ピーク出力値は７００ｍＡとしている。図４（ｂ）中に斜線で示される領域の面積は、図４（ａ）の場合に比べて小さくなり、消費電力が削減されている。この場合、フェイク信号Ｐ２によってブロッカ・ザルツァー効果が発揮されるため見た目の明るさは維持されるものの、チラツキを感じる結果となった。
【００２７】
比較例を説明するための図であって、基本パルス信号Ｐ１とフェイク信号Ｐ２の周波数を上げた場合の波形例は、図５に示すように表される。
【００２８】
図５の例では、基本パルス信号Ｐ１の周波数は４００Ｈｚ、パルス幅は１．２５ｍｓ、ピーク出力値は３５０ｍＡとしている。また、フェイク信号Ｐ２のパルス幅は０．２５ｍｓ、ピーク出力値は７００ｍＡとしている。この場合、チラツキは感じなくなるが、見た目の明るさが暗くなってしまった。
【００２９】
比較例を説明するための図であって、アンケート調査結果は、図６（ａ）に示すように表され、周波数と見た目の明るさ、チラツキとの関係は、図６（ｂ）に示すように表される。
【００３０】
図６（ａ）の例では、周波数と見た目の明るさ、チラツキとの関係を４０名程度にアンケート調査した結果を示している。具体的には、周波数が０Ｈｚ，１０Ｈｚ，１００Ｈｚ，２００Ｈｚ，４００Ｈｚと変化させた場合について、見た目の明るさが維持されていると感じた回答者の割合と、チラツキを感じなかった回答者の割合を示している。その結果、図６（ｂ）に示すように、周波数を高くするほど見た目の明るさは暗くなり、周波数を低くするほど見た目の明るさは明るくなった（ブロッカ・ザルツァー効果）。一方、周波数を高くするほどチラツキは小さくなり、周波数を低くするほどチラツキは大きくなった（フェリー‐ポーターの法則）。すなわち、見た目の明るさとチラツキは背反する関係にあることが分かった。
【００３１】
そこで、第１の実施の形態に係る照明装置１００では、チラツキを低減しながら見た目の明るさを上げるため、基本パルス信号Ｐ１とフェイク信号Ｐ２を個別に調整するようにしている。すなわち、基本パルス信号Ｐ１は、物理的な明るさを担う波であるため高周波とした。これにより、チラツキを低減することが可能となる。また、フェイク信号Ｐ２は、心理的な明るさを担う波であるため低周波とした。これにより、見た目の明るさを維持することが可能となる。
【００３２】
（波形例）
第１の実施の形態に係る照明装置に適用される基本パルス信号Ｐ１とフェイク信号Ｐ２の波形例は、図７に示すように表される。図７の例では、基本パルス信号Ｐ１の周波数は４００Ｈｚ、パルス幅は１．２５ｍｓ、ピーク出力値は３５０ｍＡとしている。また、フェイク信号Ｐ２の周波数は８０ｋｚ、パルス幅は１．２５ｍｓ、ピーク出力値は７００ｍＡとしている。図７に示すように、フェイク信号Ｐ２は、基本パルス信号Ｐ１がローレベルである期間においてハイレベルとなる。
【００３３】
図７の例では、基本パルス信号Ｐ１の周波数が４００Ｈｚである場合を例示しているが、この４００Ｈｚという周波数は、チラツキを感じさせないために最低限必要な周波数である。すなわち、より精度よくチラツキを低減するためには、基本パルス信号Ｐ１の周波数は４００Ｈｚ以上、例えば、５００Ｈｚ以上とするのが望ましい。
【００３４】
また、図７の例では、フェイク信号Ｐ２のピーク出力値が７００ｍＡである場合を示しているが、フェイク信号Ｐ２のピーク出力値は、フェイク信号Ｐ２のパルス幅に応じて変更するようになっている。例えば、フェイク信号Ｐ２のパルス幅が１／２になったら、フェイク信号Ｐ２のピーク出力値は２倍にする。すなわち、フェイク信号Ｐ２の面積（電流値×点灯時間）が一定であればよい。ただし、フェイク信号Ｐ２のピーク出力値は、ＬＥＤの絶対最大定格以下とする。
【００３５】
（実験結果）
図８は、従来技術に係る照明装置と第１の実施の形態に係る照明装置とを比較する実験結果を示す。具体的には、見た目の明るさが同等の場合における消費電力と照度を比較した。従来技術の波形は、図４（ａ）に示した定常電流波形とし、第１の実施の形態の波形は、図７に例示した波形とする。
【００３６】
図８に示すように、消費電力は、従来技術に係る照明装置によると８．８Ｗ、第１の実施の形態に係る照明装置によると６．２Ｗであった。すなわち、第１の実施の形態に係る照明装置によると、従来技術の７０％の消費電力でも、見た目の明るさは同等になることが分かった。
【００３７】
また、照度は、従来技術に係る照明装置によると１９２ｌｘ、第１の実施の形態に係る照明装置によると１４９ｌｘであった。すなわち、照度計で計測した場合、第１の実施の形態に係る照明装置は、従来技術に係る照明装置に比べて、７７％の照度しかないのに、見た目の明るさは同等であることが分かった。
【００３８】
（回路例）
第１の実施の形態に係る照明装置１００の模式的回路ブロック構成は、図９に示すように表される。図９中の実線は電力信号の伝送線を主として表し、破線の矢印は制御信号の伝送方向を示す。
【００３９】
保護回路１２は、ＡＣ電源１１からの入力電圧（交流電圧）から後段の回路部を保護する。ノイズフィルター１３は、保護回路１１を介して入力された入力電圧からノイズ成分を除去する。ノイズ成分が除去された交流電圧は、ＡＣ／ＤＣコンバータ１４で直流電圧に変換され、ＤＣ／ＤＣコンバータ１５・２５で所定のＤＣ電圧値に変換される。
【００４０】
ＰＷＭ発生器１６は、ＤＣ／ＤＣコンバータ１５の出力をパルス幅変調して、メインＳＷＰＷＭ信号を発生し、スイッチングＤＣ／ＤＣコンバータ２０に供給する。
【００４１】
コンパレータ１８は、第１の電流−電圧変換器２３，第２の電流−電圧変換器２４から出力される電圧を基準電圧発生器１７からの基準電圧と比較し、その比較結果をスイッチングＤＣ／ＤＣコンバータ２０に供給する。ここで、基準電圧発生器１７の基準電圧は、ＤＣ／ＤＣコンバータ１５のＤＣ出力電圧に対応する。
【００４２】
ＤＣ／ＤＣコンバータ２５に接続されたタイマー回路２６には、パルス信号をＯＮにするタイミングが設定されている。
【００４３】
第１の実施の形態に係る照明装置に適用されるパルス信号の波形であって、第１のＰＷＭ発生器２７の出力波形は、図１０（ａ）に示すように表され、第２のＰＷＭ発生器２８の出力波形は、図１０（ｂ）に示すように表される。
【００４４】
第１のＰＷＭ発生器２７は、タイマー回路２６のタイミング設定に基づいてパルス幅を制御し、図１０（ａ）に示すように、矩形のパルス信号Ｐ１１を出力する。同様に、第２のＰＷＭ発生器２８は、タイマー回路２６のタイミング設定に基づいてパルス幅を制御し、図１０（ｂ）に示すように、矩形のパルス信号Ｐ１２を出力する。パルス信号Ｐ１２は、パルス信号Ｐ１１がローレベルである期間においてハイレベルとなる。波形合成器２９は、第１のＰＷＭ発生器２７からの出力と第２のＰＷＭ発生器２８からの出力とを合成して変則ＰＷＭ信号をスイッチングＤＣ／ＤＣコンバータ２０に供給する。
【００４５】
スイッチングＤＣ／ＤＣコンバータ２０は、ＡＣ／ＤＣコンバータ１４に接続された力率改善回路１９により力率改善されたＤＣ電圧を、メインＳＷＰＷＭ信号および変則ＰＷＭ信号によるＰＷＭ制御に基づいて、第１の電流−電圧変換器２３，第２の電流−電圧変換器２４に供給する。
【００４６】
結果として、第１の電流−電圧変換器２３，第２の電流−電圧変換器２４に接続されたＬＥＤなどの負荷３０には、メインＳＷＰＷＭ信号および変則ＰＷＭ信号によりＰＷＭ制御され、定電流化されたパルス信号Ｐ３１，Ｐ３２，Ｐ３３，…が供給される。
【００４７】
このため、第１の実施の形態に係る照明装置１００においては、見た目の明るさを維持しつつ消費電力を削減した場合でもチラツキを低減することができる。
【００４８】
第１の実施の形態に係る照明装置に供給される電流パルス信号の波形例であって、５００Ｈｚのパルス信号が５ｋＨｚ以上の複数の波形の合成波で構成され、高速にスイッチングされている様子は、図１１に示すように表される。図１１中の丸印は、５００Ｈｚのパルス信号Ｐ１が５ｋＨｚ以上の波で構成され、高速にスイッチングされている様子を示している。他の波形も同様である。図１１の波形は、ＰＤＭ波形に対応している。
【００４９】
（応用例）
第１の実施の形態に係る照明装置１００の応用例を示す模式的鳥瞰構造は、図１２に示すように表される。図１２では、ガソリンスタンドやコンビニエンスストアなどの看板照明２００を例示している。図１２に示すように、複数本の直管形ＬＥＤ１０１，１０２，１０３が収納器具１０４に収納されている。収納器具１０４の開口部は透過板１０５で覆われた構造となっている。なお、照明装置１００は直管形に限定されるものではなく、例えば電球形、シーリングライトやペンダントライトなどであってもよい。
【００５０】
第１の実施の形態によれば、見た目の明るさを維持しつつ消費電力を削減した場合でもチラツキを低減可能な照明装置及びその駆動方法を提供することができる。
【００５１】
第１の実施の形態によれば、見た目の明るさを維持しつつ消費電力を削減した場合でもチラツキを低減可能な照明装置及びその駆動方法を提供することができる。
【００５２】
［第２の実施の形態］
第２の実施の形態に係る照明装置１００の模式的回路構成は、図１３に示すように、力率改善回路１９を備えていない点を除けば、第１の実施の形態と同じである。力率改善回路１９を備えれば、電力損失が増加する等の不具合を回避することができるが、力率改善回路１９を備えなければ、その分だけ製品価格を抑えることができる等のメリットがある。いずれかの構成を採用するか、使用目的等に応じて決定すればよい。
【００５３】
第２の実施の形態に係る照明装置によれば、力率改善回路を備えていないため、第１の実施の形態に比べて製品価格を抑えることができる等のメリットがある。
【００５４】
第２の実施の形態によれば、見た目の明るさを維持しつつ消費電力を削減した場合でもチラツキを低減可能な照明装置及びその駆動方法を提供することができる。
【００５５】
［第３の実施の形態］
第３の実施の形態に係る照明装置１００の模式的回路構成は、図１４に示すように、同期回路３１を備えている点を除けば、第１の実施の形態と同じである。
【００５６】
同期回路３１は、他の照明装置１００の電源と同期をとって、その同期信号をタイマー回路２６に供給する。ここで、他の照明装置とは、第３の実施の形態に係る照明装置１００と同様の照明装置の場合には、複数個並列に配置可能となる。また、第３の実施の形態に係る照明装置１００とは異なる照明装置であっても良い。
【００５７】
タイマー回路２６は、同期回路３１から供給された同期信号に基づいてタイマー回路２６のタイミング設定を変更する。このようにすれば、図１２に示すように、複数本の直管ＬＥＤ１０１，１０２，１０３を用いる場合、それぞれの直管ＬＥＤ１０１，１０２，１０３で同期をとることができる。一方、簡単には、複数の照明装置間の同期を敢えて取らない動作モードを実施しても良い。
【００５８】
第３の実施の形態によれば、同期回路を備えているため、複数の照明装置間の位相ずれを回避することができ、より快適な照明装置を提供することが可能である。
【００５９】
第３の実施の形態によれば、見た目の明るさを維持しつつ消費電力を削減した場合でもチラツキを低減可能な照明装置及びその駆動方法を提供することができる。
【００６０】
［第４の実施の形態］
第４の実施の形態に係る照明装置１００の模式的回路ブロック構成は、図１５に示すように表される。
【００６１】
第４の実施の形態に係る照明装置１００は、第２の実施の形態と第３の実施の形態とを組み合わせたものである。すなわち、図１５に示すように、力率改善回路１９を備えず、また同期回路３１を備えた構成を採用している。力率改善回路１９と同期回路３１の機能は既に説明した通りである。
【００６２】
第４の実施の形態に係る照明装置１００によれば、力率改善回路を備えていないため、第１の実施の形態に比べて製品価格を抑えることができる等のメリットがある。また、他の照明装置の電源と同期をとる同期回路を備えているため、複数の照明装置を配置し、位相ずれを回避することができ、より快適な照明装置を提供することが可能である。
【００６３】
第４の実施の形態によれば、見た目の明るさを維持しつつ消費電力を削減した場合でもチラツキを低減可能な照明装置及びその駆動方法を提供することができる。
【００６４】
以上説明したように、本発明によれば、見た目の明るさを維持しつつ消費電力を削減した場合でもチラツキを低減することが可能な照明装置及びその駆動方法を提供することができる。
【００６５】
[その他の実施の形態]
上記のように、本発明は第１〜第４の実施の形態によって記載したが、この開示の一部をなす論述および図面は例示的なものであり、この発明を限定するものであると理解すべきではない。この開示から当業者には様々な代替実施の形態、実施例および運用技術が明らかとなろう。
【００６６】
このように、本発明はここでは記載していない様々な実施の形態などを含む。例えば、  発光素子はＬＥＤに限らず、応答性が高速なものであれば他の発光素子を用いてもかまわない。例えば、有機エレクトロルミネッセンス（有機ＥＬ：Organic Electro-Luminescence）素子等の有機発光素子や電気化学発光素子（Electro Chemical-Luminescence：ＥＣＬ）等を用いることができる。
【産業上の利用可能性】
【００６７】
本発明に係る照明装置は、見た目の明るさを維持しつつ消費電力を削減した場合でもチラツキを低減することが必要な種々の照明装置に利用することができる。例えば、ガソリンスタンドやコンビニエンスストアなどの看板照明として利用するのが効果的である。
【符号の説明】
【００６８】
１…発光部
２…駆動部
３…基本パルス信号供給部（第１パルス信号供給部）
４…フェイク信号供給部（第２パルス信号供給部）
１９…力率改善回路
３１…同期回路
１００…照明装置
Ｐ１…基本パルス信号（第１パルス信号）
Ｐ２…フェイク信号（第２パルス信号）
【図１】
2013243037.tif 000003
【図２】
2013243037.tif 000004
【図３】
2013243037.tif 000005
【図４】
2013243037.tif 000006
【図５】
2013243037.tif 000007
【図６】
2013243037.tif 000008
【図７】
2013243037.tif 000009
【図８】
2013243037.tif 000010
【図９】
2013243037.tif 000011
【図１０】
2013243037.tif 000012
【図１１】
2013243037.tif 000013
【図１２】
2013243037.tif 000014
【図１３】
2013243037.tif 000015
【図１４】
2013243037.tif 000016
【図１５】
2013243037.tif 000017